(57)【特許請求の範囲】
【請求項１】
在圏する移動通信端末への音声呼着信又は在圏する移動通信端末からの音声呼発信を検出すると、判定情報を参照し、前記音声呼着信及び音声呼発信の処理を中止するか否かを判定する判定手段と、
処理の中止と判定した場合に判定結果を含むメッセージを上位装置に通知する信号処理手段とを有し、
前記判定手段は、コアネットワーク装置から前記移動通信端末への呼設定要求の完了をトリガに前記判定を実行する、無線基地局。
【請求項２】
在圏する移動通信端末への音声呼着信又は在圏する移動通信端末からの音声呼発信を検出すると、判定情報を参照し、前記音声呼着信及び音声呼発信の処理を中止するか否かを判定する判定手段と、
処理の中止と判定した場合に判定結果を含むメッセージを上位装置に通知する信号処理手段と有し、
前記判定手段は、前記信号処理手段からのコアネットワーク装置へのデータリンクの確立要求をトリガに前記判定を実行する、無線基地局。
【請求項３】
前記無線基地局は、超小型無線基地局である請求項１又は２記載の無線基地局。
【請求項４】
前記無線基地局は、フェムト無線基地局である請求項１乃至３のいずれか１項記載の無線基地局。
【請求項５】
前記上位装置は、第３世代無線基地局を含む請求項１乃至４のいずれか１項記載の無線基地局。
【請求項６】
前記上位装置は、第３世代無線基地局と、当該第３世代無線基地局と接続されたＳＭＳメールサーバとを含む請求項１乃至５のいずれか１項記載の無線基地局。
【請求項７】
前記判定情報は、前記上位装置の通信事業者により、前記音声呼着信処理又は音声呼発信処理を中止させるか否かが設定されたものである請求項１乃至６のいずれか１項記載の無線基地局。
【請求項８】
前記上位装置からの呼設定要求信号より発着信番号情報を取得する発着信番号取得手段と、
発着信番号取得手段が取得した前記発着信番号を使用し、音声呼の着信処理の中止を着信のあった前記移動通信端末及び／又は発信者の端末に通知するメッセージ配信処理手段とを更に有する請求項１乃至７のいずれか１項記載の無線基地局。
【請求項９】
前記メッセージ配信処理手段は、発信者電話番号を着信のあった前記移動通信端末に通知する請求項８記載の無線基地局。
【請求項１０】
前記メッセージ配信処理手段は、着信者電話番号を発信者の端末に通知する請求項８又は９記載の無線基地局。
【請求項１１】
前記メッセージ配信処理手段は、音声通話が可能なエリア情報を前記在圏する移動通信端末及び／又は発信者の端末に通知する請求項８乃至１０のいずれか１項記載の無線基地局。
【請求項１２】
前記上位装置からの呼設定要求信号より発着信番号情報を取得する発着信番号取得手段を更に有し、
前記信号処理手段は、前記発着信番号取得手段が取得した前記発着信番号を前記上位装置に通知する請求項１乃至１１のいずれか１項記載の無線基地局。
【請求項１３】
移動通信端末との通信を行う無線基地局、当該無線基地局の上位装置であるコアネットワーク装置、前記無線基地局と前記コアネットワーク装置との間を中継するゲートウェイ、及び前記コアネットワーク装置に接続されたＳＭＳメールサーバを備えた無線通信システムであって、
前記無線基地局は、
在圏する移動通信端末への音声呼着信又は在圏する移動通信端末からの音声呼発信を検出後、前記コアネットワーク装置からの呼設定要求信号より発着信番号情報を取得する発着信番号取得手段と、
判定情報を参照し、前記音声呼着信及び音声呼発信の処理を中止するか否かを判定する判定手段と、
処理の中止と判定した場合に判定結果を含むメッセージを前記コアネットワーク装置に通知する信号処理手段とを有し、
前記信号処理手段は、前記発着信番号取得手段が取得した前記発着信番号を含む制御信号を前記コアネットワーク装置を介して前記ＳＭＳメールサーバに通知し、
前記ＳＭＳメールサーバは、前記制御信号に基づき、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う、無線通信システム。
【請求項１４】
前記無線基地局は超極小無線基地局であり、前記コアネットワーク装置は第３世代無線基地局である請求項１３記載の無線通信システム。
【請求項１５】
前記ＳＭＳメールサーバは、音声通話が可能なエリアの情報を、着信のあった前記移動通信端末に通知する請求項１３又は１４記載の無線通信システム。
【請求項１６】
移動通信端末との通信を行う無線基地局、当該無線基地局の上位装置であるコアネットワーク装置、前記無線基地局と前記コアネットワーク装置との間を中継するゲートウェイ、及び前記コアネットワーク装置に接続されたＳＭＳメールサーバを備えた無線通信システムであって、
前記無線基地局は、
在圏する移動通信端末への音声呼着信又は在圏する移動通信端末からの音声呼発信を検出後、前記コアネットワーク装置からの呼設定要求信号より発着信番号情報を取得する発着信番号取得手段と、
判定情報を参照し、前記音声呼着信及び音声呼発信の処理を中止するか否かを判定する判定手段と、
処理の中止と判定した場合に判定結果を含むメッセージを前記コアネットワーク装置に通知する信号処理手段とを有し、
前記信号処理手段は、前記発着信番号取得手段が取得した前記発着信番号を含む制御信号を前記コアネットワーク装置に通知し、
前記コアネットワーク装置は、
前記ＳＭＳメールサーバとの間で通信を確立し、当該ＳＭＳメールサーバを介して、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う通知手段を有し、
当該通知手段は、前記在圏する移動通信端末へ発信した端末又は在圏する移動通信端末からの着信を受けた端末との間で通信を確立し、当該ＳＭＳメールサーバを介して、前記前記音声呼着信処理の中止を在圏する移動通信端末からの着信を受けた端末に通知する着信側ＳＭＳ配信制御、及び／又は前記音声呼発信処理の中止を前記在圏する移動通信端末へ発信した端末に通知する発信側ＳＭＳ配信制御を行う、無線通信システム。
【請求項１７】
移動通信端末との通信を行う無線基地局、当該無線基地局の上位装置であるコアネットワーク装置、前記無線基地局と前記コアネットワーク装置との間を中継するゲートウェイ、及び前記コアネットワーク装置に接続されたＳＭＳメールサーバを備えた無線通信システムであって、
前記無線基地局は、在圏する移動通信端末への音声呼着信又は在圏する移動通信端末からの音声呼発信により、当該移動通信端末、前記無線基地局、前記ゲートウェイ及び前記コアネットワーク装置の間の通信を確立した後、自己の識別番号を前記コアネットワーク装置に送信する信号処理手段を有し、
前記コアネットワーク装置は、
在圏端末の音声呼着信処理又は音声呼発信処理を中止する強制サイレントモードを有する無線基地局の情報を有し、当該情報を参照して、前記識別番号を送信した無線基地局が強制サイレントモードの対象基地局であるか否かを判定する判定手段と、
前記識別番号を送信した無線基地局が前記対象基地局である場合は、前記ＳＭＳメールサーバとの間で通信を確立し、当該ＳＭＳメールサーバを介して、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う通知手段とを有する無線通信システム。
【請求項１８】
前記コアネットワーク装置の前記通知手段は、前記在圏する移動通信端末へ発信した端末又は在圏する移動通信端末からの着信を受けた端末との間で通信を確立し、前記ＳＭＳメールサーバを介して、前記前記音声呼着信処理の中止を在圏する移動通信端末からの着信を受けた端末に通知する着信側ＳＭＳ配信制御、及び／又は前記音声呼発信処理の中止を前記在圏する移動通信端末へ発信した端末に通知する発信側ＳＭＳ配信制御を行う、請求項１７記載の無線通信システム。
【請求項１９】
前記ＳＭＳメールサーバは、音声通話が可能なエリアの情報を、着信のあった前記移動通信端末に通知する請求項１７又は１８記載の無線通信システム。
【請求項２０】
移動通信端末との通信を行う無線基地局、当該無線基地局の上位装置であるコアネットワーク装置、前記無線基地局と前記コアネットワーク装置との間を中継するゲートウェイを備えた無線通信システムであって、
前記無線基地局は、
在圏する移動通信端末への音声呼着信の検出後、前記コアネットワーク装置からの呼設定要求信号より発着信番号情報を取得する発着信番号取得手段と、
判定情報を参照し、音声メッセージを通知するか否かを判定する判定手段と、
処理の中止と判定した場合に、前記在圏する移動通信端末は除き、前記コアネットワーク装置との間のみでデータリンクを確立させる信号処理手段とを有し、
前記信号処理手段は、前記音声呼着信の中止を、前記コアネットワーク装置を介して発信側の端末へ通知する無線通信システム。
【請求項２１】
前記信号処理手段は、データリンクの確立の完了を知らせるパラメータを含むデータリンク確立応答メッセージを、上位インターフェース制御信号に埋め込み、前記コアネットワーク装置に送信する請求項２０記載の無線通信システム。
【請求項２２】
前記無線基地局は、前記音声呼着信の中止を、前記コアネットワーク装置を介して音声により前記発信側の端末へ通知する請求項２０又は２１記載の無線通信システム。
【請求項２３】
移動通信端末との通信を行う無線基地局、当該無線基地局の上位装置であるコアネットワーク装置、前記無線基地局と前記コアネットワーク装置との間を中継するゲートウェイを備えた無線通信システムであって、
前記ゲートウェイは、
前記無線基地局に在圏する移動通信端末への音声呼着信又は在圏する移動通信端末からの音声呼発信を検出後、前記コアネットワーク装置からの呼設定要求信号より発着信番号情報を取得する発着信番号取得手段と、
判定情報を参照し、前記音声呼着信及び音声呼発信の処理を中止するか否かを判定する判定手段と、
処理の中止と判定した場合に判定結果を含むメッセージを前記コアネットワーク装置に通知する信号処理手段とを有し、
前記信号処理手段は、前記発着信番号取得手段が取得した発着信番号情報を使用し、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う、無線通信システム。
【請求項２４】
前記判定手段は、前記コアネットワーク装置から前記移動通信端末への呼設定要求の完了をトリガに前記判定を実行する請求項２０乃至２３のいずれか１項記載の無線システム。
【請求項２５】
前記判定手段は、前記信号処理手段からの前記コアネットワーク装置へのデータリンクの確立要求をトリガに前記判定を実行する請求項２０乃至２３のいずれか１項記載の無線システム。
【請求項２６】
前記ゲートウェイは、音声通話が可能なエリアの情報を、着信のあった前記移動通信端末に通知する請求項２３記載の無線通信システム。
【請求項２７】
在圏する移動通信端末への音声呼着信又は在圏する移動通信端末からの音声呼発信を検出すると、判定情報を参照し、前記音声呼着信及び音声呼発信の処理を中止するか否かを判定する判定工程と、
処理の中止と判定した場合に判定結果を含むメッセージを上位装置に通知する信号処理工程とを有し、
前記判定工程は、前記上位装置から前記移動通信端末への呼設定要求の完了、又は信号処理手段からのコアネットワーク装置へのデータリンクの確立要求をトリガに行われる、無線通信方法。
【請求項２８】
前記上位装置からの呼設定要求信号より発着信番号情報を取得する発着信番号取得工程と、
着信番号取得工程で取得した前記発着信番号を使用し、音声呼の着信処理の中止を着信のあった前記移動通信端末及び／又は発信者の端末に通知するメッセージ配信処理工程とを更に有する請求項２７に記載の無線通信方法。
【請求項２９】
前記上位装置からの呼設定要求信号より発着信番号情報を取得する発着信番号取得工程を更に有し、
前記信号処理工程は、前記発着信番号取得工程が取得した前記発着信番号を前記上位装置に通知する請求項２７又は２８のいずれか１項記載の無線通信方法。
【請求項３０】
移動通信端末との通信を行う無線基地局、当該無線基地局の上位装置であるコアネットワーク装置、前記無線基地局と前記コアネットワーク装置との間を中継するゲートウェイ、及び前記コアネットワーク装置に接続されたＳＭＳメールサーバを備えた無線通信システムの無線通信方法であって、
前記無線基地局は、
在圏する移動通信端末への音声呼着信又は在圏する移動通信端末からの音声呼発信を検出後、前記コアネットワーク装置からの呼設定要求信号より発着信番号情報を取得する発着信番号取得工程と、
判定情報を参照し、前記音声呼着信及び音声呼発信の処理を中止するか否かを判定する判定手工程と、
処理の中止と判定した場合に判定結果を含むメッセージを前記コアネットワーク装置に通知する信号処理工程とを有し、
前記信号処理工程では、前記発着信番号取得工程で取得した前記発着信番号を含む制御信号を前記コアネットワーク装置に通知し、
前記コアネットワーク装置は、
前記ＳＭＳメールサーバとの間で通信を確立し、当該ＳＭＳメールサーバを介して、前記音声呼着信処理又は音声呼発信処理の中止を、着信のあった前記移動通信端末及び／又は発信者の端末に通知する通知工程を有し、
当該通知工程では、前記在圏する移動通信端末へ発信した端末又は在圏する移動通信端末からの着信を受けた端末との間で通信を確立し、当該ＳＭＳメールサーバを介して、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う無線通信システムの無線通信方法。
【請求項３１】
移動通信端末との通信を行う無線基地局、当該無線基地局の上位装置であるコアネットワーク装置、前記無線基地局と前記コアネットワーク装置との間を中継するゲートウェイ、及び前記コアネットワーク装置に接続されたＳＭＳメールサーバを備えた無線通信システムの無線通信方法であって、
前記無線基地局は、在圏する移動通信端末への音声呼着信又は在圏する移動通信端末からの音声呼発信により、当該移動通信端末、前記無線基地局、前記ゲートウェイ及び前記コアネットワーク装置の間の通信を確立した後、自己の識別番号を前記コアネットワーク装置に送信する信号処理工程を有し、
前記コアネットワーク装置は、
在圏端末の音声呼着信処理又は音声呼発信処理を中止する強制サイレントモードを有する無線基地局の情報を有し、当該情報を参照して、前記識別番号を送信した無線基地局が強制サイレントモードの対象基地局であるか否かを判定する判定工程と、
前記識別番号を送信した無線基地局が前記対象基地局である場合は、前記ＳＭＳメールサーバとの間で通信を確立し、当該ＳＭＳメールサーバを介して、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う通知工程とを有する無線通信システムの無線通信方法。
【請求項３２】
移動通信端末との通信を行う無線基地局、当該無線基地局の上位装置であるコアネットワーク装置、前記無線基地局と前記コアネットワーク装置との間を中継するゲートウェイを備えた無線通信システムの無線通信方法であって、
前記無線基地局は、
在圏する移動通信端末への音声呼着信の検出後、前記コアネットワーク装置からの呼設定要求信号より発着信番号情報を取得する発着信番号取得工程と、
判定情報を参照し、前記音声呼着信及び音声呼発信の処理を中止するか否かを判定する判定工程と、
処理の中止と判定した場合に、前記在圏する移動通信端末は除き、前記コアネットワーク装置との間のみでデータリンクを確立させる信号処理工程とを有し、
前記信号処理工程では、前記音声呼着信の中止を、前記コアネットワーク装置を介して発信側の端末へ通知する無線通信システムの無線通信方法。
【請求項３３】
移動通信端末との通信を行う無線基地局、当該無線基地局の上位装置であるコアネットワーク装置、前記無線基地局と前記コアネットワーク装置との間を中継するゲートウェイを備えた無線通信システムの無線通信方法であって、
前記ゲートウェイは、
前記無線基地局に在圏する移動通信端末への音声呼着信又は在圏する移動通信端末からの音声呼発信を検出後、前記コアネットワーク装置からの呼設定要求信号より発着信番号情報を取得する発着信番号取得工程と、
判定情報を参照し、音声メッセージを通知するか否かを判定する判定工程と、
処理の中止と判定した場合に判定結果を含むメッセージを前記コアネットワーク装置に通知する信号処理工程とを有し、
前記信号処理工程では、発着信番号取得手段が取得した発着信番号情報を使用し、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う、無線通信システムの無線通信方法。
【請求項３４】
所定の動作をコンピュータに実行させるためのプログラムであって、
在圏する移動通信端末への音声呼着信又は在圏する移動通信端末からの音声呼発信を検出すると、判定情報を参照し、前記音声呼着信及び音声呼発信の処理を中止するか否かを判定する判定工程と、
処理の中止と判定した場合に判定結果を含むメッセージを上位装置に通知する信号処理工程と、をコンピュータに実行させ、
前記判定工程は、前記上位装置から前記移動通信端末への呼設定要求の完了、又は信号処理手段からのコアネットワーク装置へのデータリンクの確立要求をトリガに行われる、プログラム。
【発明の詳細な説明】
【技術分野】
【０００１】
本発明は、例えば在圏する移動通信端末への着信又は当該移動通信端末からの発信を制御するフェムト無線基地局等の無線基地局、無線通信システム、無線通信方法、及びプログラムが格納されたコンピュータ可読媒体に関する。
【背景技術】
【０００２】
特定の場所、例えば電車、図書館、美術館、又は映画館等では、音声呼による通話をしないことを望まれており、携帯電話等の移動通信端末（以下、携帯電話という。）の電源を切るか、マナーモードに設定するよう呼びかけられている。しかし、携帯電話の電源を切った場合、着信があったとしても電源を再投入するまでは着信があったか否かが不明である。このため、重要な電話への対応が遅れることがあり、ビジネスユーザーにとっては特に問題である。【０００３】
また、携帯電話をマナーモードに設定した場合、着信があると着信者は通話してしまう恐れがあり、その場合周囲の人に迷惑をかけることになる。従って、いずれの場合においても携帯電話のユーザにその設定が委ねられるため、確実に音声呼の着信を抑止することができない。【０００４】
従って、従来、携帯電話システムにおいて、特定の場所での音声呼着信が抑止される機能が求められている。例えば、特許文献１に記載の基地局及び携帯通信端末においては、着信音又は通信が抑止されているエリアの基地局内に存在する端末に対し、端末への無音着信情報を送出する代理応答機能を有する基地局を構成している。また、無音着信情報を送出する基地局からの信号を受信したときに、振動・光、又は受光部への文字情報表示により報知着信する手段を携帯通信端末に設けている。【０００５】
また、特許文献２には、移動体システムにおいて、特殊エリアをカバーする特殊基地局が、他の基地局及び上位装置と接続しない移動体通信システムが開示されている。この特許文献に記載の移動体通信システムは、上位装置と接続せず通信できない特殊基地局（スタンドアロン）を有し、この特殊基地局に在圏(位置登録)した移動局は、特殊基地局は上位装置と接続しないため、発着信サービスが停止される。また、特殊基地局に在圏(位置登録)している移動局が、通信を行いたい場合、移動局の操作により、特殊基地局への在圏を解除し、通常基地局に在圏することができる。この場合、移動局は、特殊基地局より受信したエリア特性コードを通常基地局へ通知する。エリア特性コードは、病院、電車、図書館などのエリアに応じ、メール発信を禁止したり、インターネットの接続を禁止したりと、各サービスの拒否が設定されているものである。通常基地局は、移動局からのエリア特性コードに基づいて、サービス制限の要否を判断する。
【先行技術文献】
【特許文献】
【０００６】
【特許文献１】特開２００１−０４５５６３号公報
【特許文献２】特開２００５−１３０２１２号公報
【発明の概要】
【発明が解決しようとする課題】
【０００７】
しかしながら、この特許文献１には、携帯通信端末にて無音着信情報を受信し、処理することができることが前提であるため、実現性に乏しい。その理由は、無音着信情報を処理する機能を有しない端末に対する考慮がなされておらず、基地局内に無音着信情報を処理する機能を有する端末とその機能を有しない端末とが混在した場合、当該サービスを提供することができないためである。【０００８】
また、特許文献２においては、スタンドアロンの特殊基地局が必要となる。また、引例では、特殊基地局に在圏(位置登録)した移動局は、発着信サービスを一切提供されない。よって、緊急に連絡が取りたい場合などであっても、連絡を取ることができない。移動局所持者は、通信を行いたい場合に、通常基地局に切り替え、その上でサービス制限を実施しなければならず、基地局を切り替える必要があり、また、移動局からの操作及び情報を必要とするなど処理が煩雑である。【０００９】
本発明は、このような問題点を解決するためになされたものであり、移動通信端末の諸機能を変更することなく、特定の場所においてサービスを制限することができる無線基地局、無線通信システム、無線通信方法、及びプログラムが格納されたコンピュータ可読媒体を提供することを目的とする。
【課題を解決するための手段】
【００１０】
本発明にかかる無線基地局は、在圏する移動通信端末への音声呼着信又は在圏する移動通信端末からの音声呼発信を検出すると、判定情報を参照し、前記音声呼着信又は音声呼発信の処理を中止するか否かを判定する判定手段と、処理の中止と判定した場合に判定結果を含むメッセージを上位装置に通知する信号処理手段と有する。【００１１】
本発明にかかる無線通信システムは、移動通信端末との通信を行う無線基地局、当該無線基地局の上位装置であるコアネットワーク装置、前記無線基地局と前記コアネットワーク装置との間を中継するゲートウェイ、及び前記コアネットワーク装置に接続されたＳＭＳメールサーバを備えた無線通信システムであって、前記無線基地局は、在圏する移動通信端末への音声呼着信又は在圏する移動通信端末からの音声呼発信を検出後、前記コアネットワーク装置からの呼設定要求信号より発着信番号情報を取得する発着信番号取得手段と、判定情報を参照し、前記音声呼着信又は音声呼発信の処理を中止するか否かを判定する判定手段と、処理の中止と判定した場合に判定結果を含むメッセージを前記コアネットワーク装置に通知する信号処理手段とを有し、前記信号処理手段は、前記発着信番号取得手段が取得した前記発着信番号を含む制御信号を前記コアネットワーク装置を介して前記ＳＭＳメールサーバに通知し、前記ＳＭＳメールサーバは、前記制御信号に基づき前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う。【００１２】
本発明にかかる無線通信システムは、移動通信端末との通信を行う無線基地局、当該無線基地局の上位装置であるコアネットワーク装置、前記無線基地局と前記コアネットワーク装置との間を中継するゲートウェイ、及び前記コアネットワーク装置に接続されたＳＭＳメールサーバを備えた無線通信システムであって、前記無線基地局は、在圏する移動通信端末への音声呼着信又は在圏する移動通信端末からの音声呼発信を検出後、前記コアネットワーク装置からの呼設定要求信号より発着信番号情報を取得する発着信番号取得手段と、判定情報を参照し、前記音声呼着信又は音声呼発信の処理を中止するか否かを判定する判定手段と、処理の中止と判定した場合に判定結果を含むメッセージを前記コアネットワーク装置に通知する信号処理手段とを有し、前記信号処理手段は、前記発着信番号取得手段が取得した前記発着信番号を含む制御信号を前記コアネットワーク装置に通知し、前記コアネットワーク装置は、前記ＳＭＳメールサーバとの間で通信を確立し、当該ＳＭＳメールサーバを介して、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う通知手段を有し、当該通知手段は、前記在圏する移動通信端末へ発信した端末又は在圏する移動通信端末からの着信を受けた端末との間で通信を確立し、当該ＳＭＳメールサーバを介して、前記音声呼着信処理又は音声呼発信処理の中止を、前記在圏する移動通信端末へ発信した端末又は在圏する移動通信端末からの着信を受けた端末に通知する。【００１３】
本発明にかかる無線通信システムは、移動通信端末との通信を行う無線基地局、当該無線基地局の上位装置であるコアネットワーク装置、前記無線基地局と前記コアネットワーク装置との間を中継するゲートウェイ、及び前記コアネットワーク装置に接続されたＳＭＳメールサーバを備えた無線通信システムであって、前記無線基地局は、在圏する移動通信端末への音声呼着信又は在圏する移動通信端末からの音声呼発信により、当該移動通信端末、前記無線基地局、前記ゲートウェイ及び前記コアネットワーク装置の間の通信を確立した後、自己の識別番号を前記コアネットワーク装置に送信する信号処理手段を有し、前記コアネットワーク装置は、在圏端末の音声呼着信処理又は音声呼発信処理を中止する強制サイレントモードを有する無線基地局の情報を有し、当該情報を参照して、前記識別番号を送信した無線基地局が強制サイレントモードの対象基地局であるか否かを判定する判定手段と、前記識別番号を送信した無線基地局が前記対象基地局である場合は、前記ＳＭＳメールサーバとの間で通信を確立し、当該ＳＭＳメールサーバを介して、前記前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う通知手段とを有する。【００１４】
本発明にかかる無線通信システムは、移動通信端末との通信を行う無線基地局、当該無線基地局の上位装置であるコアネットワーク装置、前記無線基地局と前記コアネットワーク装置との間を中継するゲートウェイを備えた無線通信システムであって、前記無線基地局は、在圏する移動通信端末への音声呼着信の検出後、前記コアネットワーク装置からの呼設定要求信号より発着信番号情報を取得する発着信番号取得手段と、判定情報を参照し、前記音声呼着信又は音声呼発信の処理を中止するか否かを判定する判定手段と、処理の中止と判定した場合に、前記在圏する移動通信端末は除き、前記コアネットワーク装置との間のみでデータリンクを確立させる信号処理手段とを有し、前記信号処理手段は、前記音声呼着信の中止を、前記コアネットワーク装置を介して発信側の端末へ通知する。【００１５】
本発明にかかる無線通信システムは、移動通信端末との通信を行う無線基地局、当該無線基地局の上位装置であるコアネットワーク装置、前記無線基地局と前記コアネットワーク装置との間を中継するゲートウェイを備えた無線通信システムであって、前記ゲートウェイは、前記無線基地局に在圏する移動通信端末への音声呼着信又は在圏する移動通信端末からの音声呼発信を検出後、前記コアネットワーク装置からの呼設定要求信号より発着信番号情報を取得する発着信番号取得手段と、判定情報を参照し、前記音声呼着信又は音声呼発信の処理を中止するか否かを判定する判定手段と、処理の中止と判定した場合に判定結果を含むメッセージを前記コアネットワーク装置に通知する信号処理手段とを有し、前記信号処理手段は、前記発着信番号取得手段が取得した発着信番号情報を使用し、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う。【００１６】
本発明にかかる無線通信方法は、在圏する移動通信端末への音声呼着信又は在圏する移動通信端末からの音声呼発信を検出すると、判定情報を参照し、前記音声呼着信又は音声呼発信の処理を中止するか否かを判定する判定工程と、処理の中止と判定した場合に判定結果を含むメッセージを上位装置に通知する信号処理工程とを有する。【００１７】
本発明にかかる無線通信システムの無線通信方法は、移動通信端末との通信を行う無線基地局、当該無線基地局の上位装置であるコアネットワーク装置、前記無線基地局と前記コアネットワーク装置との間を中継するゲートウェイ、及び前記コアネットワーク装置に接続されたＳＭＳメールサーバを備えた無線通信システムの無線通信方法であって、前記無線基地局は、在圏する移動通信端末への音声呼着信又は在圏する移動通信端末からの音声呼発信を検出後、前記コアネットワーク装置からの呼設定要求信号より発着信番号情報を取得する発着信番号取得工程と、判定情報を参照し、前記音声呼着信又は音声呼発信の処理を中止するか否かを判定する判定工程と、処理の中止と判定した場合に判定結果を含むメッセージを前記コアネットワーク装置に通知する信号処理工程とを有し、前記信号処理工程では、前記発着信番号取得手段が取得した前記発着信番号を含む制御信号を前記コアネットワーク装置を介して前記ＳＭＳメールサーバに通知し、前記ＳＭＳメールサーバは、前記制御信号に基づき前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う。【００１８】
本発明にかかる無線通信システムの無線通信方法は、移動通信端末との通信を行う無線基地局、当該無線基地局の上位装置であるコアネットワーク装置、前記無線基地局と前記コアネットワーク装置との間を中継するゲートウェイ、及び前記コアネットワーク装置に接続されたＳＭＳメールサーバを備えた無線通信システムの無線通信方法であって、前記無線基地局は、在圏する移動通信端末への音声呼着信又は在圏する移動通信端末からの音声呼発信を検出後、前記コアネットワーク装置からの呼設定要求信号より発着信番号情報を取得する発着信番号取得工程と、判定情報を参照し、前記音声呼着信又は音声呼発信の処理を中止するか否かを判定する判定手工程と、処理の中止と判定した場合に判定結果を含むメッセージを前記コアネットワーク装置に通知する信号処理工程とを有し、前記信号処理工程では、前記発着信番号取得工程で取得した前記発着信番号を含む制御信号を前記コアネットワーク装置に通知し、前記コアネットワーク装置は、前記ＳＭＳメールサーバとの間で通信を確立し、当該ＳＭＳメールサーバを介して、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う通知工程を有し、当該通知工程では、前記在圏する移動通信端末へ発信した端末又は在圏する移動通信端末からの着信を受けた端末との間で通信を確立し、当該ＳＭＳメールサーバを介して、前記音声呼着信処理又は音声呼発信処理の中止を、前記在圏する移動通信端末へ発信した端末又は在圏する移動通信端末からの着信を受けた端末に通知する。【００１９】
本発明にかかる無線通信システムの無線通信方法は、移動通信端末との通信を行う無線基地局、当該無線基地局の上位装置であるコアネットワーク装置、前記無線基地局と前記コアネットワーク装置との間を中継するゲートウェイ、及び前記コアネットワーク装置に接続されたＳＭＳメールサーバを備えた無線通信システムの無線通信方法であって、前記無線基地局は、在圏する移動通信端末への音声呼着信又は在圏する移動通信端末からの音声呼発信により、当該移動通信端末、前記無線基地局、前記ゲートウェイ及び前記コアネットワーク装置の間の通信を確立した後、自己の識別番号を前記コアネットワーク装置に送信する信号処理工程を有し、前記コアネットワーク装置は、在圏端末の音声呼着信処理又は音声呼発信処理を中止する強制サイレントモードを有する無線基地局の情報を有し、当該情報を参照して、前記識別番号を送信した無線基地局が強制サイレントモードの対象基地局であるか否かを判定する判定工程と、前記識別番号を送信した無線基地局が前記対象基地局である場合は、前記ＳＭＳメールサーバとの間で通信を確立し、当該ＳＭＳメールサーバを介して、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う通知工程とを有する。【００２０】
本発明にかかる無線通信システムの無線通信方法は、移動通信端末との通信を行う無線基地局、当該無線基地局の上位装置であるコアネットワーク装置、前記無線基地局と前記コアネットワーク装置との間を中継するゲートウェイを備えた無線通信システムの無線通信方法であって、前記無線基地局は、在圏する移動通信端末への音声呼着信の検出後、前記コアネットワーク装置からの呼設定要求信号より発着信番号情報を取得する発着信番号取得工程と、判定情報を参照し、前記音声呼着信又は音声呼発信の処理を中止するか否かを判定する判定工程と、処理の中止と判定した場合に、前記在圏する移動通信端末は除き、前記コアネットワーク装置との間のみでデータリンクを確立させる信号処理工程とを有し、前記信号処理工程では、前記音声呼着信の中止を、前記コアネットワーク装置を介して発信側の端末へ通知する。【００２１】
本発明にかかる無線通信システムの無線通信方法は、移動通信端末との通信を行う無線基地局、当該無線基地局の上位装置であるコアネットワーク装置、前記無線基地局と前記コアネットワーク装置との間を中継するゲートウェイを備えた無線通信システムの無線通信方法であって、前記ゲートウェイは、前記無線基地局に在圏する移動通信端末への音声呼着信又は在圏する移動通信端末からの音声呼発信を検出後、前記コアネットワーク装置からの呼設定要求信号より発着信番号情報を取得する発着信番号取得工程と、判定情報を参照し、前記音声呼着信又は音声呼発信の処理を中止するか否かを判定する判定工程と、処理の中止と判定した場合に判定結果を含むメッセージを前記コアネットワーク装置に通知する信号処理工程とを有し、前記信号処理工程では、前記発着信番号取得手段が取得した発着信番号情報を使用し、前記音声呼着信処理の中止を着信のあった前記移動通信端末に通知する着信側ＳＭＳ配信制御、及び／又は前記音声呼発信処理の中止を発信者の端末に通知する発信側ＳＭＳ配信制御を行う。【００２２】
また、本発明に係るコンピュータ可読媒体は、上述した無線通信制御処理をコンピュータに実行させるプログラムが記録されたコンピュータ読み取り可能なものである。
【発明の効果】
【００２３】
本発明に係る無線基地局、無線通信システム、無線通信制御方法、及びプログラムが格納されたコンピュータ可読媒体によれば、移動通信端末の諸機能を変更することなく、特定の場所においてサービスを制限することができる。
【図面の簡単な説明】
【００２４】
【図１】本発明の第１の実施の形態にかかる無線通信システムを示す図である
【図２】本発明の実施の形態にかかる無線通信システム２００を示す図である。
【図３】本発明の実施の形態にかかる動作を示すシーケンス図である。
【図４】本発明の実施の形態にかかる無線通信システムの動作を示すシーケンス図である。
【図５】本発明の実施の形態にかかる無線通信システムの動作を示すシーケンス図である。
【図６】本発明の実施の形態にかかる無線通信システムの動作を示すシーケンス図である。
【図７】本発明の実施の形態にかかる無線通信システムの動作を示すシーケンス図である。
【図８】本発明の実施の形態にかかる無線通信システムの動作を示すシーケンス図である。
【図９】本発明の実施の形態にかかる無線通信システムの動作を示すシーケンス図である。
【図１０】本発明の実施の形態にかかる無線通信システムの動作を示すシーケンス図である。
【発明を実施するための形態】
【００２５】
以下、本発明を適用した具体的な実施の形態について、図面を参照しながら詳細に説明する。この実施の形態は、本発明に係る無線基地局を、フェムト無線基地局ＦＡＰ（Femto Access Point）に適用する。そして、このフェムト無線基地局を特定の場所に設置し、圏内の移動通信端末の着信、圏内の移動端末からの発信（音声呼着信）を規制する。なお、以下の実施の形態においては、無線基地局をフェムト無線基地局として説明するが、特定の場所における移動通信端末の音声呼着信を規制することができれば、フェムト無線基地局に限るものではなく、例えばフェムト無線基地以外の超小型無線基地局等であってもよい。
【００２６】
フェムト無線基地局は、無線のカバーエリアが数１０メートル程度の無線基地局であり、無線のカバーエリアが極めて狭いことを特徴としている。したがって、限定されたエリアでのみ音声呼着信の抑止が望まれる、映画館・図書館・美術館又は列車内などに、本願を適用したフェムト無線基地局を設置することにより、移動通信端末の諸機能を変更することなく、圏内の移動通信端末への各種サービスを制限することができる。
【００２７】
[第１の実施の形態]
図１は、本発明の第１の実施の形態にかかる無線通信システムを示す図である。無線通信システム１００は、移動通信端末ＵＥ（User Equipment）１との通信を行うフェムト無線基地局ＦＡＰ２、フェムト無線基地局ＦＡＰ２の上位装置であるコアネットワーク装置ＣＮ（Core Network）（移動交換局又はマクロ無線基地局ともいう。）４、フェムト無線基地局ＦＡＰ２とコアネットワーク装置ＣＮ４との間を中継するフェムト無線基地局ゲートウェイＧＷ（Gateway）３とを有する。コアネットワーク装置ＣＮ４は、例えば第３世代無線基地局である。ここでは、他の端末ＵＥ６が移動通信端末ＵＥ２に発信するか、移動通信端末ＵＥ２が他の端末ＵＥ６に発信し、他の端末ＵＥ６が無線基地局７を介して、移動通信端末ＵＥ１と通信を行う例について説明する。
【００２８】
フェムト無線基地局ＦＡＰ２は、判定手段２１ａと信号処理手段２５ａとを有している。判定手段２１ａは、ある端末ＵＥ６から在圏する移動通信端末ＵＥ１への音声呼着信又は在圏する移動通信端末ＵＥ１からある端末ＵＥ６への音声呼発信を検出すると、判定情報を参照して、当該音声呼着信処理又は音声呼発信処理を中止するか否かを判定する。信号処理手段２５ａは、処理の中止と判定した場合に判定結果を含むメッセージ（制御信号）を上位装置であるコアネットワーク装置ＣＮ４へ通知する。ここで、本実施の形態においては、フェムト無線基地局ＦＡＰ２が在圏する全ての端末の音声呼着信処理又は音声呼発信処理を中止することを強制サイレントモードということとする。
【００２９】
判定情報は、それぞれのフェムト無線基地局ＦＡＰ２が有する情報であり、たとえば、上位装置の通信事業者により設定される。この判定情報により、在圏する端末の音声呼着信処理又は音声呼発信処理を抑止する（強制サイレントモード）とするか否かが設定される。判定手段２１ａは、例えば、コアネットワーク装置ＣＮ４から移動通信端末ＵＥ１への呼設定要求の完了や、信号処理手段２５ａからのコアネットワーク装置ＣＮ４へのデータリンクの確立要求をトリガ、自身の在圏端末を強制サイレントモードとする特殊無線基地局であるか否かを判定する。
【００３０】
信号処理手段２５ａは、ＳＭＳ（Short Message Service）などのメッセージにより、音声呼着信処理又は音声呼発信処理を中止した旨や、発信者番号、着信者番号、その他、現在のエリアは、発着信が不可であるが、もっとも近い音声通話が可能なエリア情報などを合わせて知らせるようにしてもよい。
【００３１】
ここで、本実施の形態にかかる無線通信システム１００は、コアネットワーク装置ＣＮ４に接続されたＳＭＳメールサーバ（図示せず）を有し、フェムト無線基地局ＦＡＰ２からではなく、ＳＭＳメールサーバから移動通信端末ＵＥ１や、端末ＵＥ６にサービスが禁止されている旨のメッセージを送信するようにしてもよい。
【００３２】
次に、本実施の形態にかかる無線通信システム１００の動作について簡単に説明する。
ある端末ＵＥ６がフェムト無線基地局ＦＡＰ２のエリア圏内の移動通信端末ＵＥ１に対して音声呼の着信要求を行う。この場合、コアネットワーク装置ＣＮ４は移動通信端末ＵＥ１に対してページングを行うことで移動通信端末ＵＥ１とコアネットワーク装置ＣＮ４との間で呼接続処理を開始する。呼接続処理中に、コアネットワーク装置ＣＮ４は、フェムト無線基地局ＦＡＰ２に対してデータリンク確立要求を行う。このとき、フェムト無線基地局ＦＡＰ２の判定手段２１ａは、自身が、その圏内の移動通信端末の音声呼着信を抑止する特殊無線基地局であるか否かを、判定情報に基づき判定する。自身が特殊無線基地局であると判定した場合には、フェムト無線基地局ＦＡＰ２は、本要求を拒絶（Reject）することで呼接続処理を中断する。また、フェムト無線基地局ＦＡＰ２は、呼設定要求メッセージから発信側及び着信側端末ＵＥの電話番号を取得し、ＳＭＳメッセージにて強制サイレントモードである旨のメッセージを配信する。
【００３３】
本実施の形態においては、例えば、音声呼着信の抑止が望まれる場所にこのフェムト無線基地局ＦＡＰ２を設置する。フェムト無線基地局ＦＡＰ２は、強制サイレントモードへ設定する判定情報を保持する。このフェムト無線基地局ＦＡＰ２の在圏端末ＵＥ１へ音声呼着信があった際に、判定情報に従い、フェムト無線基地局ＦＡＰ２が呼接続処理中のデータリンク確立要求を拒絶する。このことにより、在圏端末の音声呼着信を抑止することができる。また、フェムト無線基地局ＦＡＰ２は、ＳＭＳメッセージを配信する機能を有するため、ＳＭＳにより、発信側端末ＵＥ６及び着信側端末ＵＥ１のいずれか又は双方に、音音声呼着信処理を中断したことを通知することができる。すなわち、移動通信端末ＵＥ１の諸機能は何ら変更することなく、特定の場所において音声呼着信を抑止し、移動通信端末ＵＥ１を強制サイレントモードとすることができる。
【００３４】
[第２の実施の形態]
次に、本発明の第２の実施の形態について説明する。図２は、本実施の形態にかかる無線通信システム２００を示す図である。なお、以下の説明において、同一の構成要素には、同一の符号を付し、その詳細な説明は省略するものとする。
【００３５】
図２に示すように、本実施の形態にかかる無線通信システム２００は、フェムト無線基地局ＦＡＰ２、フェムト無線基地局ゲートウェイＧＷ３、及びコアネットワーク装置ＣＮ４を有する。本実施の形態においては、移動通信端末ＵＥ１は、フェムト無線基地局ＦＡＰ２の在圏端末として、また端末ＵＥ６は、フェムト無線基地局ＦＡＰ２の在圏端末（移動通信端末ＵＥ１）に発信する端末、又は移動通信端末ＵＥ１からの着信を受ける端末として説明する。
【００３６】
さらに、フェムト無線基地局ＦＡＰ２は、強制サイレントモード判定部２１、ＳＭＳメッセージ配信処理部２２、対ＵＥ送受信部２３、対ＧＷ送受信部２４、上位インターフェース制御信号処理部２５、無線制御信号処理部２６、及び発着信番号取得部２７を有する。
【００３７】
以下、各装置及びブロックについて詳細に説明する。
【００３８】
移動通信端末ＵＥ１は、第３世代移動携帯電話(端末)であり、音声呼・ＳＭＳメッセージなどのユーザデータを送受信する送受信機能を有する。また、移動通信端末ＵＥ１とフェムト無線基地局ＦＡＰ２との間において、無線信号リンクを確立する機能を有する。さらに、移動通信端末ＵＥ１とコアネットワーク装置ＣＮ４と間において、上位レイヤの制御信号を処理する機能を有する。
【００３９】
フェムト無線基地局ＦＡＰ２は、本実施の形態においては、家庭及び小規模オフィス向けのフェムト無線基地局とすることができる。そして、移動通信端末ＵＥ１とフェムト無線基地局ＦＡＰ２との間において、無線信号リンクを確立する機能を有する。また、移動通信端末ＵＥ１とコアネットワーク装置ＣＮ４との間の上位レイヤ制御信号を通過及び転送する機能を有する。さらに、フェムト無線基地局ゲートウェイＧＷ３へ移動通信端末ＵＥ１のアクセス可否に関する処理を行う機能を有する。
【００４０】
フェムト無線基地局ゲートウェイＧＷ３は、フェムト無線基地局ＦＡＰ２をコアネットワーク装置ＣＮ４と接続するためのゲートウェイである。フェムト無線基地局ＦＡＰ２とコアネットワーク装置ＣＮ４との間を仲介し、制御信号及びユーザデータの転送を行う機能を有する。また、フェムト無線基地局ＦＡＰ２からの移動通信端末ＵＥ１のアクセス可否に関する処理を行う機能を有する。
【００４１】
コアネットワーク装置ＣＮ４は、例えば第３世代移動交換網であり、他網の端末やＳＭＳメールサーバと接続し、音声呼やＳＭＳメッセージなどのユーザデータの中継を行う機能を有する。また、移動通信端末ＵＥ１とコアネットワーク装置ＣＮ４との間において、上位レイヤの制御信号を処理する機能を有する。
【００４２】
次に、フェムト無線基地局ＦＡＰ２の各ブロックについて説明する。先ず。強制サイレントモード判定部２１は、フェムト無線基地局ＦＡＰ２の在圏エリアにある移動通信端末を強制サイレントモードに設定するか否かの判定情報を有する。判定情報は、例えば、携帯電話事業者にが、事前に「動作」又は「非動作」の設定をするものとする。この強制サイレントモード判定部２１は、上位インターフェース制御信号処理部２５からの問い合わせに応じ、その判定結果、すなわち、強制サイレントモードに設定するか否かの情報を、上位インターフェース制御信号処理部２５に通知する。
【００４３】
ＳＭＳメッセージ配信処理部２２は、無線制御信号処理部２６及び上位インターフェース制御信号処理部２５を介して、移動通信端末ＵＥ１及びＳＭＳメールサーバにＳＭＳメッセージ配信処理を行う機能を有する。
【００４４】
対ＵＥ送受信部２３は、フェムト無線基地局ＦＡＰ２が移動通信端末ＵＥ１と通信するためのインターフェースを有し、移動通信端末ＵＥ１と無線制御信号処理部２６との間で、データ送受信を中継する。
【００４５】
対ＧＷ送受信部２４は、フェムト無線基地局ＦＡＰ２がフェムト無線基地局ゲートウェイＧＷ３と通信するためのインターフェースを有し、フェムト無線基地局ゲートウェイＧＷ３と上位インターフェース制御信号処理部２５との間で、データ送受信を中継する。
【００４６】
上位インターフェース制御信号処理部２５は、コアネットワーク装置ＣＮ４及びフェムト無線基地局ゲートウェイＧＷ３からの上位インターフェース制御信号を処理する機能を有する。また、受信した上位インターフェース制御信号に含まれるメッセージの内容に応じて処理を行う。
【００４７】
無線制御信号処理部２６は、移動通信端末ＵＥ１からの無線制御信号を処理する機能を有する。また、受信した無線制御信号に含まれるメッセージの内容に応じて処理を行う。
【００４８】
発着信番号取得部２７は、上位インターフェース制御信号処理部２５から転送された呼設定要求メッセージから、発着信番号を取得する機能を有する。また、発信側の端末ＵＥ６、及び着信側移動通信端末ＵＥ１の電話番号を保持する。
【００４９】
次に、本実施の形態にかかる動作について説明する。本実施の形態にかかる無線通信システム２００は、他ネットワークの端末ＵＥ６から、フェムト無線基地局ＦＡＰ２エリア圏内の移動通信端末ＵＥ１に対して、音声呼着信要求があった場合、以下の（１）〜（６）の手順で呼処理、及びＳＭＳメッセージ配信を行う。図３は、本実施の形態にかかる動作を示すシーケンス図である。
（１）ページングにより、移動通信端末ＵＥ１を呼び出す。
（２）移動通信端末ＵＥ１とフェムト無線基地局ＦＡＰ２との間において無線信号リンク(制御プレーン)を確立する。
（３）移動通信端末ＵＥ１とコアネットワーク装置ＣＮ４との間において信号リンク(制御プレーン)を確立する。
（４）移動通信端末ＵＥ１とコアネットワーク装置ＣＮ４との間において呼設定要求メッセージのやり取りを行う。
（５）移動通信端末ＵＥ１とコアネットワーク装置ＣＮ４との間においてデータリンク（ユーザプレーン）の確立要求を拒絶（Reject）する。
（６）着信側の移動通信端末ＵＥ１、及び発信側の端末ＵＥ６に対し、ＳＭＳメッセージ配信処理する。
【００５０】
なお、本実施の形態においては、端末ＵＥ６は、移動通信端末ＵＥ１と同じく、移動通信端末として説明するが。端末６は固定電話であってもよい。
【００５１】
第１に、ページング手順について説明する。コアネットワーク装置ＣＮ４は、他の端末ＵＥ６から移動通信端末ＵＥ１に音声呼着信要求があると、上位レイヤプロトコルで構成される制御信号（上位インターフェース制御信号）に音声呼着信メッセージを埋め込み、フェムト無線基地局ゲートウェイＧＷ３を介して、フェムト無線基地局ＦＡＰ２へ送信する。フェムト無線基地局ＦＡＰ２の上位インターフェース制御信号処理部２５は、対ＧＷ送受信部２４を介して上位インターフェース制御信号を受信する。そして、この上位インターフェース制御信号からページングメッセージを抽出し、無線制御信号処理部２６へ転送する。無線制御信号処理部２６は、無線制御信号に音声呼着信メッセージを埋め込み、対ＵＥ送受信部２３を介して、フェムト無線基地局ＦＡＰ２のエリア内の移動通信端末ＵＥ１に報知する（ステップＳＴ１０１）。なお、本手順は、フェムト無線基地局ＦＡＰ２及びフェムト無線基地局ゲートウェイＧＷ３を含む無線通信システムにおける一般的な手順である。
【００５２】
第２に、無線信号リンクの確立手順について説明する。音声呼着信メッセージを受信した移動通信端末ＵＥ１は、移動通信端末ＵＥ１とフェムト無線基地局ＦＡＰ２の無線制御信号処理部２６との間で信号のやり取りを行う。そして、移動通信端末ＵＥ１とフェムト無線基地局ＦＡＰ２との間において、無線信号リンクを確立する（ステップＳＴ１０２）。本手順は、フェムト無線基地局ＦＡＰ２及びフェムト無線基地局ゲートウェイＧＷ３を含む無線通信システムにおける一般的な手順である。
【００５３】
第３に、信号リンクの確立手順について説明する。無線信号リンク確立後、移動通信端末ＵＥ１−フェムト無線基地局ＦＡＰ２−フェムト無線基地局ゲートウェイＧＷ３−コアネットワーク装置ＣＮ４間での制御信号のやり取りにより、信号リンクを確立する。これにより、移動通信端末ＵＥ１とコアネットワーク装置ＣＮ４の間で上位インターフェース制御信号の転送が可能になる（ステップＳＴ１０３）。また、信号リンクによる信号リンクの確立中、上位インターフェース制御信号処理部２５は、フェムト無線基地局ゲートウェイＧＷ３へＵＥ登録要求信号を送信する。本信号によりフェムト無線基地局ＦＡＰ２の使用を試みた移動通信端末ＵＥ１に関するアクセスコントロールを行う（ステップＳＴ１０４）。なお、本手順は、フェムト無線基地局ＦＡＰ２及びフェムト無線基地局ゲートウェイＧＷ３を含む無線通信システムにおける一般的な手順である。
【００５４】
第４に、呼設定要求メッセージのやり取りについて説明する。信号リンク確立後、コアネットワーク装置ＣＮ４から移動通信端末ＵＥ１へ呼設定要求メッセージを送信する。呼設定要求メッセージは、フェムト無線基地局ＦＡＰ２を通過する移動通信端末ＵＥ１乃至コアネットワーク装置ＣＮ４間の制御信号の１つである。この呼設定要求メッセージは、上位インターフェース制御信号に埋め込まれ、フェムト無線基地局ＦＡＰ２の上位インターフェース制御信号処理部２５で受信される（ステップＳＴ１０５）。
【００５５】
上位インターフェース制御信号処理部２５は、受け取った上位インターフェース制御信号から制御信号を抽出し、無線制御信号処理部２６へ転送する。なお、通常の上位インターフェース制御信号処理部２５は、抽出した制御信号がどのような信号であるかの確認をしないが、本実施の形態においては、受信した無線信号が、呼設定要求メッセージであるか否かを判定する。ここで、呼設定要求メッセージであると判断した場合、抽出した制御信号（呼設定要求メッセージ）は、無線制御信号処理部２６ではなく、発着信番号取得部２７へ転送する（ステップＳＴ１０６）。
【００５６】
発着信番号取得部２７は、上位インターフェース制御信号処理部２５より転送された呼設定要求メッセージから、発着信番号を取得し、その情報を保持する。そして、発着信番号取得部２７は、この呼設定要求メッセージを、無線制御信号処理部２６へ転送する。無線制御信号処理部２６は、この呼設定要求メッセージを無線制御信号に埋め込み、移動通信端末ＵＥ１に送信する（ステップＳＴ１０７）。
【００５７】
第５に、データリンクの確立手順について説明する。呼設定要求メッセージのやり取り後、コアネットワーク装置ＣＮ４からフェムト無線基地局ＦＡＰ２へデータリンク確立要求メッセージを送信することを契機に、データリンクの確立を開始する。データリンク確立要求メッセージは、上位インターフェース制御信号に埋め込まれ、コアネットワーク装置ＣＮ４から上位インフェムト無線基地局ＦＡＰ２のターフェース制御信号処理部２５に送信される（ステップＳＴ１０８）。
【００５８】
ここで、本実施の形態にかかる上位インターフェース制御信号処理部２５は、データリンク確立要求メッセージを受け取ると、強制サイレントモード判定部２１にアクセスする。強制サイレントモード判定部２１は、上述したように、フェムト無線基地局ＦＡＰ２が、在圏端末を強制サイレントモードに設定するか否かを示す判定情報を有しており、在圏端末を強制サイレントモードに設定するか否かの判定を行う（ステップＳＴ１０９）。強制サイレントモード判定部２１は、判定結果を、上位インターフェース制御信号処理部２５に通知する。
【００５９】
上位インターフェース制御信号処理部２５は、データリンク確立応答メッセージを上位インターフェース制御信号に埋め込み、コアネットワーク装置ＣＮ４に送信する。
【００６０】
第６に、ＳＭＳメッセージの配信手順について説明する。上位インターフェース制御信号処理部２５は、発着信番号取得部２７に保持されている発着信番号情報を取得する。また、ＳＭＳメッセージ配信処理部２２へ、発着信番号情報の通知及びＳＭＳメッセージ配信処理を要求する。ＳＭＳメッセージ配信処理部２２は、発着信番号情報を元にＳＭＳメッセージを生成する。ＳＭＳメッセージには、移動通信端末ＵＥ１が音声呼の着信が抑止されているエリア内におり、音声呼の着信処理が拒絶されたこと、発信者及び着信者の電話番号、音声通話が可能なエリアの情報などを含む。なお、このエリア情報は、例えば現在の半径２０ｍ以内は、通話が不可な領域であるが、そのエリア外であれば、音声通話が可能であるなどの情報である。
【００６１】
着信側移動通信端末ＵＥ１へのＳＭＳメッセージの配信について説明する。先ず、生成したＳＭＳメッセージを無線制御信号処理部２６へ転送する。無線制御信号処理部２６は、ＳＭＳメッセージを無線制御信号に埋め込み、着信側端末である移動通信端末ＵＥ１に直接送信する（ステップＳＴ１１０）。さらに、上位インターフェース制御信号処理部２５判定情報が強制サイレントモードに設定すると設定されていた場合は、コアネットワーク装置ＣＮ４からのデータリンク確立要求に対し、データリンク確立応答メッセージを送る。このとき、上位インターフェース制御信号処理部２５は、データリンク確立応答メッセージに、データリンクの確立を拒絶（Reject）するパラメータを含める。これにより、音声呼の呼接続処理を中止する（ステップＳＴ１１１）。
【００６２】
次に、発信側端末ＵＥ６へのＳＭＳメッセージ配信について説明する。先ず、フェムト無線基地局ＦＡＰ２−フェムト無線基地局ゲートウェイＧＷ３−コアネットワーク装置ＣＮ４−ＳＭＳメールサーバ５の間において、信号リンク（制御プレーン）、及びデータリンク（ユーザプレーン）を確立する。そして、ＳＭＳメッセージに含まれる情報、すなわち移動通信端末ＵＥ１が音声呼の着信が抑止されているエリア内におり、音声呼の着信処理が拒絶されたこと、発信者及び着信者の電話番号、音声通話が可能なエリアの情報を、ＳＭＳメッセージ配信処理部２２が上位インターフェース制御信号処理部２５へ転送する。上位インターフェース制御信号処理部２５は、その情報を上位インターフェース制御信号に埋め込み、ＳＭＳメールサーバへ送信する（ステップＳＴ１１２）。ＳＭＳメールサーバは、この情報を含むメッセージ（メール）を端末ＵＥ６に配信する。
【００６３】
本実施の形態にかかる無線通信システム２００の効果について説明する。第１の効果は、フェムト無線基地局ＦＡＰ２の無線信号が届くエリアにおいて、音声呼着信を抑止することができるので、特定の場所で在圏端末を強制サイレントモードとし周囲への迷惑を防止することができることである。音声呼着信を抑止する機能をフェムト無線基地局ＦＡＰ２に設けることにより、移動通信端末ＵＥ１の諸機能を何ら変更することなく、フェムト無線基地局ＦＡＰ２エリア内に存在する全ての移動通信端末ＵＥ１について、音声呼着信を抑止することができる。
【００６４】
第２の効果は、本実施の形態にかかる無線通信システム２００の各装置の機能変更については、フェムト無線基地局ＦＡＰ２のみでよいことである。端末ＵＥは、本システムを適用するにあたって、特別な機能追加を必要としないため、移動通信端末ＵＥの機能によらず、音声呼の着信を抑止することができる。
【００６５】
第３の効果は、音声呼着信があったことを通知することができることである。移動通信端末ＵＥ１に対するＳＭＳメッセージ配信は許容するため、ＳＭＳメッセージにより、音声呼の着信あったこと、及び発信者の電話番号を通知することができる。
【００６６】
[第３の実施の形態]
次に、本発明の第３の実施形態について説明する。図４は、本実施の形態にかかる無線通信システムの動作を示すシーケンス図である。本実施の形態にかかる無線通信システムは、図３に示す第２の実施の形態のシーケンスにおけるＳＭＳメッセージ配信工程のステップＳＴ１１１の代わりに、新しいＳＭＳメッセージ配信工程ステップＳＴ２０１、ステップＳＴ２０２を有する。
【００６７】
フェムト無線基地局ＦＡＰ２は、フェムト無線基地局ＦＡＰ２−（フェムト無線基地局ゲートウェイＧＷ３−コアネットワーク装置ＣＮ４）−ＳＭＳメールサーバ５間において、信号リンク（制御プレーン）及びデータリンク（ユーザプレーン）を確立する。そして、ＳＭＳメッセージに含める情報を上位インターフェース制御信号処理部２５へ転送する。上位インターフェース制御信号処理部２５は、その情報を上位インターフェース制御信号に埋め込み、フェムト無線基地局ゲートウェイＧＷ３及びコアネットワーク装置ＣＮ４を介してＳＭＳメールサーバ５へ送信する（ステップＳＴ２０１）。ＳＭＳメールサーバは、受信した情報を元にＳＭＳメッセージを生成し、着信側移動通信端末ＵＥ１へＳＭＳメッセージを配信する（ステップＳＴ２０２）。
【００６８】
このように、本実施の形態においては、フェムト無線基地局ＦＡＰ２は移動通信端末ＵＥ１（着信端末）へＳＭＳメッセージを直接配信せず、メッセージ配信をＳＭＳメールサーバ５より行う点で第２の実施の形態と異なる。これにより、本実施の形態にかかる無線通信システムは、ＳＭＳメッセージ信号処理部２２が不要となる。本実施の形態においても、第１の実施の形態と同様に、移動通信端末ＵＥ１の諸機能は何ら変更することなく、特定の場所において音声呼着信を抑止し、移動通信端末ＵＥ１を強制サイレントモードとすることができる。
【００６９】
[第４の実施の形態]
本発明の第４の実施形態について説明する。図５は、本実施の形態にかかる無線通信システムの動作を示すシーケンス図である。本実施の形態にかかる無線通信システムは、図３に示す第２の実施の形態のシーケンスにおけるＳＭＳメッセージ配信にかかるステップステップＳＴ１１１及びＳＴ１１２の代わりに、ステップＳＴ３０１乃至ステップＳＴ３０４を有する。
【００７０】
フェムト無線基地局ＦＡＰ２の上位インターフェース制御信号処理部２５は、本実施の形態においては、ＳＭＳメッセージを生成せず、音声呼着信抑止ネットワーク（ＮＷ）通知を行う。この音声呼着信抑止ＮＷ通知により、ＳＭＳメッセージに含める情報を、コアネットワーク装置ＣＮ４へ転送する（ステップＳＴ３０１）。また、コアネットワーク装置ＣＮ４は、音声呼着信抑止ＮＷ通知Ｎを受信すると、信号リンク（制御プレーン）及びデータリンク（ユーザプレーン）をＳＭＳメールサーバ５との間で確立する。そして、着信側の移動通信端末ＵＥ１に送るＳＭＳメッセージに含める情報をＳＭＳメールサーバ５へ転送する（ステップＳ３０２）。ＳＭＳメールサーバ５は、受信した情報を元にＳＭＳメッセージを生成し、着信側の移動通信端末ＵＥ１へそのＭＳメッセージを配信する（ステップＳＴ３０３）。
【００７１】
さらに、コアネットワーク装置ＣＮ４は、音声呼着信抑止ＮＷ通知を受信すると、発信側端末ＵＥ６とも信号リンク（制御プレーン）、及びデータリンク（ユーザプレーン）を確立する。そして、発信側端末ＵＥ６向けＳＭＳメッセージに含める情報をＳＭＳメールサーバ５へ転送する（ステップＳＴ３０４）。ＳＭＳメールサーバ５は、発信側の端末ＵＥ６にも、移動通信端末ＵＥ１が強制マナーモートとされている旨を通知する。
【００７２】
このように、本実施の形態においては、フェムト無線基地局ＦＡＰ２がＳＭＳメッセージ配信処理に関する機能を有することなく、コアネットワーク装置ＣＮ４がその機能を有する。これにより、本実施の形態にかかる無線通信システムは、ＳＭＳメッセージ信号処理部２２が不要となる。本実施の形態においても、第１の実施の形態と同様に、移動通信端末ＵＥ１の諸機能は何ら変更することなく、特定の場所において音声呼着信を抑止し、移動通信端末ＵＥ１を強制サイレントモードとすることができる。
【００７３】
[第５の実施の形態]
本発明の第５の実施形態について説明する。図６は、本実施の形態にかかる無線通信システムの動作を示すシーケンス図である。本実施の形態にかかる無線通信システムは、図３に示す第２の実施の形態のシーケンスにおけるステップＳＴ１０５乃至ステップＳＴ１１２の代わりに、新たなステップＳＴ４０１乃至ステップＳＴ４０８を有している。
【００７４】
移動通信端末ＵＥ１は信号リンク確立要求メッセージをフェムト無線基地局ＦＡＰ２へ送信する。本メッセージは無線制御信号に埋め込んで送信されるが、フェムト無線基地局ＦＡＰ２乃至コアネットワーク装置ＣＮ４の間のコネクションの設定を要求する情報を含む。また、本手順は信号リンク確立手順（ステップＳＴ１０４）の一部である（ステップＳＴ４０１）)。フェムト無線基地局ＦＡＰ２の無線制御信号処理部２６は、本メッセージを上位インターフェース制御信号処理部２５へ転送する。上位インターフェース制御信号処理部２５は、フェムト無線基地局ＦＡＰ２乃至コアネットワーク装置ＣＮ４間のコネクション設定処理を開始し、上位インターフェース制御信号にＵＥ認証要求メッセージを含めてコアネットワーク装置ＣＮ４へ送信する（ステップＳＴ４０２）。
【００７５】
ここで、本実施の形態にかかるＵＥ認証要求メッセージには、ＳＡ（Service Area）識別情報が含まれている。ＳＡ識別情報は、携帯電話事業者により、ＦＡＰのセル毎に設定することができる。コアネットワーク装置ＣＮ４は、本情報により移動通信端末ＵＥ１が在圏するフェムト無線基地局ＦＡＰ２を識別することができる。コアネットワーク装置ＣＮ４はＳＡ識別情報とフェムト無線基地局ＦＡＰ２が自己の在圏端末を強制サイレントモードに設定する特殊無線基地局であるか否かの情報（判定情報）とを参照し、これらを対応付けることで、移動通信端末ＵＥ１が特殊無線基地局に在圏（音声呼着信抑止ＮＷに在圏）しているか否かを判定する（ステップＳＴ３０４）。
【００７６】
コアネットワーク装置ＣＮ４は、移動通信端末ＵＥ１が音声呼着信抑止ＮＷに在圏していると判断すると、ＳＭＳメールサーバ５と、信号リンク（制御プレーン）、及びデータリンク（ユーザプレーン）を確立する。そして、着信側移動通信端末ＵＥ１向けＳＭＳメッセージに含める情報をＳＭＳメールサーバ５へ転送する（ステップＳＴ４０４）。ＳＭＳメールサーバ５は、受信した情報を元にＳＭＳメッセージを生成し、着信側移動通信端末ＵＥ１へＳＭＳメッセージを配信する（ステップＳＴ４０５）。また、コアネットワーク装置ＣＮ４は、発信側端末ＵＥ６に対しても同様に、信号リンク（制御プレーン）、及びデータリンク（ユーザプレーン）を確立し、発信側端末ＵＥ６向けのＳＭＳメッセージに含める情報をＳＭＳメールサーバ５へ転送する（ステップＳＴ４０８）。
【００７７】
このように、本実施の形態においては、フェムト無線基地局ＦＡＰ２は強制サイレントモード判定に関わる機能及びＳＭＳメッセージ配信処理に関わる機能を有することなく、代わりに、コアネットワーク装置ＣＮ４がその機能を有する。本実施の形態においても、第１の実施の形態と同様に、移動通信端末ＵＥ１の諸機能は何ら変更することなく、特定の場所において音声呼着信を抑止し、移動通信端末ＵＥ１を強制サイレントモードとすることができる。
【００７８】
[第６の実施の形態]
本発明の第６の実施形態について説明する。図７は、本実施の形態にかかる無線通信システムの動作を示すシーケンス図である。本実施の形態にかかる無線通信システムは、図３に示す第２の実施の形態のシーケンスにおけるステップＳＴ１１０乃至ＳＴ１１２の替わりに、ステップＳＴ５０１乃至ＳＴ５０４を有している。
【００７９】
フェムト無線基地局ＦＡＰ２は、コアネットワーク装置ＣＮ４との間で信号のやり取りを行い、フェムト無線基地局ＦＡＰ２乃至コアネットワーク装置ＣＮ４の間においてデータリンクを確立する（ステップＳＴ５０１）。フェムト無線基地局ＦＡＰ２及びフェムト無線基地局ゲートウェイＧＷ３を含む無線通信システムにおける一般的な手順では、移動通信端末ＵＥ１−フェムト無線基地局ＦＡＰ２−フェムト無線基地局ゲートウェイＧＷ３−コアネットワーク装置ＣＮ４の間で信号のやり取りを行い、移動通信端末ＵＥ１−フェムト無線基地局ＦＡＰ２−フェムト無線基地局ゲートウェイＧＷ３−コアネットワーク装置ＣＮ４間においてデータリンクを確立するが、本実施の形態においては、移動通信端末ＵＥ１は除き、フェムト無線基地局ＦＡＰ２乃至コアネットワーク装置ＣＮ４間についてのみデータリンクを確立する。
【００８０】
フェムト無線基地局ＦＡＰ２はデータリンク確立応答メッセージを上位インターフェース制御信号に埋め込み、コアネットワーク装置ＣＮ４に送信するが、そのメッセージには、データリンクの確立を成功（Successful）とするパラメータを含める（ステップＳＴ５０２）。データリンクの確立をもって音声通話が可能になる（ステップＳＴ５０３）。フェムト無線基地局ＦＡＰ２は、音声呼の着信処理が拒絶（Reject）されたこと、発信者及び着信者の電話番号、音声通話が可能なエリアの情報などを、発信側の端末ＵＥ６へ、ＳＭＳメッセージではなく、音声メッセージにより通知する（ステップＳＴ５０４）。
【００８１】
このように、本実施の形態においては、フェムト無線基地局ＦＡＰ２は移動通信端末ＵＥ１−フェムト無線基地局ＦＡＰ２間でデータリンクを確立せずに、フェムト無線基地局ＦＡＰ２乃至コアネットワーク装置ＣＮ４間でデータリンクを確立する。また、フェムト無線基地局ＦＡＰ２は発信側移動通信端末ＵＥ１にＳＭＳメッセージではなく、音声メッセージにより強制サイレントモードである旨を通知することができる。このように、本実施の形態においても、第１の実施の形態と同様に、移動通信端末ＵＥ１の諸機能は何ら変更することなく、特定の場所において音声呼着信を抑止し、移動通信端末ＵＥ１を強制サイレントモードとすることができる。
【００８２】
[第７の実施の形態]
本発明の第７の実施形態について説明する。図８は、本実施の形態にかかる無線通信システムの動作を示すシーケンス図である。本実施の形態にかかる無線通信システムは、図３に示す第２の実施の形態のシーケンスにおけるステップＳＴ１０６乃至ＳＴ１１２の替わりに、ステップＳＴ６０６乃至ＳＴ６１２を有している。
【００８３】
本実施の形態においては、フェムト無線基地局ゲートウェイＧＷ３が、発着信番号取得処理（ステップＳＴ６０６）、及び強制サイレントモード判定処理（ステップＳＴ６０９）に関する機能を有する。そして、フェムト無線基地局ゲートウェイＧＷ３が、呼設定要求（ステップＳＴ１０５）、呼設定要求（ステップＳＴ６０７）、データリンク確立要求（ステップＳＴ６０８）、ＳＭＳメッセージ配信（ステップＳＴ６１０）、データリック確立応答（Reject）（ステップＳＴ６１１）、発信側移動通信端末ＵＥ１向けＳＭＳ配信処理（ステップＳＴ６１２）に関するメッセージ処理を行う。フェムト無線基地局ゲートウェイＧＷ３の構成は、通常のゲートウェイの構成に、強制サイレントモード判定部２１、ＳＭＳメッセージ配信処理部２２、及び発着信番号取得部２７などの諸機能を持たせるように構成すればよい。
【００８４】
このように、本実施の形態においては、第２の実施の形態においてフェムト無線基地局ＦＡＰ２が行っていた各処理を、フェムト無線基地局ゲートウェイＧＷ３が行う。本実施の形態においても、第１の実施の形態と同様に、移動通信端末ＵＥ１の諸機能は何ら変更することなく、特定の場所において音声呼着信を抑止し、移動通信端末ＵＥ１を強制サイレントモードとすることができる。
【００８５】
[第８の実施の形態]
本発明の第８の実施形態について説明する。図９は、本実施の形態にかかる無線通信システムの動作を示すシーケンス図である。本実施の形態にかかる無線通信システムは、図３に示す第２の実施の形態のシーケンスにおけるステップＳＴ１０８乃至ＳＲ１１２の替わりに、ステップＳＴ７０８乃至ＳＴ７１１を有している。
【００８６】
本実施の形態においては、呼設定要求信号処理を行った後、フェムト無線基地局ＦＡＰ２は、強制サイレントモード判定（ステップＳＴ７０８）を実施する。その後、フェムト無線基地局ＦＡＰ２は、着信側移動通信端末ＵＥ１に対し、ＳＭＳメッセージを配信し（ステップＳＴ７０９）、次に、発信側端末ＵＥ６に対しＳＭＳの配信制御を行い（ステップＳＴ７１０）、最後に、コアネットワーク装置ＣＮ４に対し、信号リンク開放要求（ステップＳＴ７１１）を行う。
【００８７】
このように、本実施の形態においては、フェムト無線基地局ＦＡＰ２は、コアネットワーク装置ＣＮ４からのデータリンク確立要求をトリガに強制サイレントモード判定を行うのではなく、コアネットワーク装置ＣＮ４からの呼設定要求処理の完了をトリガに、強制サイレントモード判定を行う。そして、フェムト無線基地局ＦＡＰ２がＳＭＳ配信及び信号リンク開放要求を行う。本実施の形態においても、第１の実施の形態と同様に、移動通信端末ＵＥ１の諸機能は何ら変更することなく、特定の場所において音声呼着信を抑止し、移動通信端末ＵＥ１を強制サイレントモードとすることができる。
【００８８】
[第９の実施の形態]
本発明の第９の実施形態について説明する。図１０は、本実施の形態にかかる無線通信システムの動作を示すシーケンス図である。図１０は、本実施の形態にかかる無線通信システムにおけるフェムト無線基地局ＦＡＰ２のエリア圏内の移動通信端末ＵＥ１が、他ネットワークの端末ＵＥ６に対して、音声呼発信を行う場合のシーケンス図を示す。
【００８９】
移動通信端末ＵＥ１はフェムト無線基地局ＦＡＰ２との間で無線信号リンクを確立し（ステップＳＴ８０１）、移動通信端末ＵＥ１−フェムト無線基地局ＦＡＰ２−フェムト無線基地局ゲートウェイＧＷ３−コアネットワーク装置ＣＮ４間での制御信号のやり取りにより、信号リンクを確立する（ステップＳＴ８０２）。また、信号リンクの確立中、フェムト無線基地局ＦＡＰ２はフェムト無線基地局ゲートウェイＧＷ３へＵＥ登録要求信号を送信する。この信号によりフェムト無線基地局ＦＡＰ２の使用を試みた移動通信端末ＵＥ１に関するアクセスコントロールを行う（ステップＳＴ８０３）。なお、これらの工程は、フェムト無線基地局ＦＡＰ２及びフェムト無線基地局ゲートウェイＧＷ３3を含む無線通信システムにおいて一般的な手順である。
【００９０】
信号リンク確立後、移動通信端末ＵＥ１からコアネットワーク装置ＣＮ４へ呼設定要求メッセージを送信するが（ステップＳＴ８０４）、フェムト無線基地局ＦＡＰ２は、呼設定要求メッセージより発着信番号を取得し、その情報を保持する（ステップＳＴ８０５）。また、フェムト無線基地局ＦＡＰ２は、呼設定要求メッセージをコアネットワーク装置ＣＮ４に転送する（ステップＳＴ８０６)。呼設定要求メッセージのやり取り後、コアネットワーク装置ＣＮ４からフェムト無線基地局ＦＡＰ２へデータリンク確立要求メッセージを送信することを契機に、データリンクの確立を開始する（ステップＳＴ８０７）。
【００９１】
本実施の形態においては、フェムト無線基地局ＦＡＰ２が強制サイレントモードを実施する基地局として設定されていた場合（ステップＳＴ８０８）、フェムト無線基地局ＦＡＰ２は、発着信番号情報を元にＳＭＳメッセージを生成する。このＳＭＳメッセージには、移動通信端末ＵＥ１が音声呼の着信が抑止されているエリア内におり、音声呼の着信処理が拒絶されたこと、発信者及び着信者の電話番号、並びに音声通話が可能なエリアの情報などを含め、発信側端末である移動通信端末ＵＥ１に直接送信する（ステップＳＴ８０９）。その後、フェムト無線基地局ＦＡＰ２は、データリンク確立応答メッセージを上位インターフェース制御信号に埋め込み、コアネットワーク装置ＣＮ４に送信する。このデータリンク確立応答メッセージには、データリンクの確立を拒絶（Reject）するパラメータを含め、音声呼の呼接続処理を中止させる（ステップＳＴ８１０）。
【００９２】
このように、本実施の形態においては、フェムト無線基地局ＦＡＰ２は、その圏内の移動通信端末ＵＥ１への音声呼着信を抑止するものではなく、その圏内の移動通信端末ＵＥ１からの音声呼発信を抑止する。またフェムト無線基地局ＦＡＰ２は、発信側移動通信端末ＵＥ１にＳＭＳメッセージを配信する。本実施の形態においても、第１の実施の形態と同様に、移動通信端末ＵＥ１の諸機能は何ら変更することなく、特定の場所において音声呼着信を抑止し、移動通信端末ＵＥ１を強制サイレントモードとすることができる。
【００９３】
なお、第３、４の実施の形態のように、ＳＭＳメールサーバからＳＭＳメッセージを送るようにしてもよい。また、発信者側の移動通信端末ＵＥ１のみではなく、着信先の端末に対し、テキスト又は音声によりメッセージを送るようにしてもよい。さらに、第５実施の形態のように、コアネットワーク装置ＣＮ４にＳＡ識別情報を送り、コアネットワーク装置ＣＮ４が、強制モード判定やＳＭＳメッセージの送信などを行うようにしてもよい。さらにまた、第７実施の形態のように、フェムト無線基地局ゲートウェイＧＷ３が、強制サイレントモード判定やＳＭＳメッセージ送信などを行うようにしてもよい。また、第８実施の形態のように、呼設定要求処理の完了をトリガに強制サイレントモード判定を行ってもよい。
【００９４】
以上、実施の形態を参照して本願発明を説明したが、本願発明は上記によって限定されるものではない。本願発明の構成や詳細には、発明のスコープ内で当業者が理解し得る様々な変更をすることができる。
例えば、上述の実施の形態においては、基本的には、特殊基地局圏内の移動通信端末を強制サイレントモードに設定し、発信、着信を制限するものとして説明したが、強制サイレントモード圏内にいる旨の通知メールのみ許容し、その他のメールは送受信できないように規制したり、インターネットを使用できないように規制したり等、その他のサービスを規制するものとしてもよい。
【００９５】
例えば、上述の実施の形態では、ハードウェアの構成として説明したが、これに限定されるものではなく、任意の処理を、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９６】
この出願は、２００９年６月２６日に出願された日本出願特願２００９−１５２２６６を基礎とする優先権を主張し、その開示の全てをここに取り込む。
【符号の説明】
【００９７】
１  移動通信端末ＵＥ
２  フェムト無線基地局ＦＡＰ
３  フェムト無線基地局ゲートウェイＧＷ
４  コアネットワーク装置ＣＮ
５  ＳＭＳメールサーバ
６  端末ＵＥ
７  無線基地局
２１  強制サイレントモード判定部
２１ａ  判定手段
２２  ＳＭＳメッセージ配信処理部
２３  対ＵＥ送受信部
２４  対ＧＷ送受信部
２５  上位インターフェース制御信号処理部
２５ａ  信号処理手段
２６  無線制御信号処理部
２７  発着信番号取得部
１００  無線通信システム
２００  無線通信システム
【図１】
0005541282.tif 000002
【図２】
0005541282.tif 000003
【図３】
0005541282.tif 000004
【図４】
0005541282.tif 000005
【図５】
0005541282.tif 000006
【図６】
0005541282.tif 000007
【図７】
0005541282.tif 000008
【図８】
0005541282.tif 000009
【図９】
0005541282.tif 000010
【図１０】
0005541282.tif 000011